【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
硫黄含有芳香族ジアミン及びジスルフィドから選択される少なくとも１つのイソシアネート反応性硫黄含有化合物と臭素化芳香族ジエステルジオール、２，３−ジブロモアリルアルコール、トリブロモネオペンチルアルコール、ジブロモネオペンチルグリコール及びテトラブロモベンゼンジメタノールから選択される少なくとも１つのイソシアネート反応性臭素化難燃剤を含む成分を含んでなるか、または当該成分から形成される難燃性組成物であって、ただし、
前記イソシアネート反応性硫黄含有化合物が硫黄含有芳香族ジアミンである場合、前記イソシアネート反応性臭素化難燃剤が臭素化芳香族ジエステルジオール、２，３−ジブロモアリルアルコール及び/またはトリブロモネオペンチルアルコールであり、かつ、
前記イソシアネート反応性硫黄含有化合物が硫黄含有芳香族ジアミンであり、前記イソシアネート反応性臭素化難燃剤が臭素化芳香族ジエステルジオールである場合、前記組成物は、別の臭素化難燃剤、別の硫黄含有化合物、トリス（１−クロロ−２−プロピル）ホスフェート、及び／または表面改質モンモリロナイトナノクレイをも含む、ことを特徴とする、前記難燃性組成物。
【請求項２】
前記イソシアネート反応性臭素化難燃剤が２，３−ジブロモアリルアルコールである、
請求項１に記載の難燃性組成物。
【請求項３】
請求項１に記載の難燃性組成物であって、
前記イソシアネート反応性硫黄含有化合物が、硫黄含有芳香族ジアミンである場合、前記イソシアネート反応性臭素化難燃剤が２，３−ジブロモアリルアルコールまたはトリブロモネオペンチルアルコールであり；
前記イソシアネート反応性硫黄含有化合物がジスルフィドである場合、前記イソシアネート反応性臭素化難燃剤が、２，３−ジブロモアリルアルコール、トリブロモネオペンチルアルコール、または臭素化芳香族ジエステルジオールである、前記難燃性組成物。
【請求項４】
請求項１に記載の難燃性組成物であって、
前記イソシアネート反応性臭素化難燃剤が、臭素化芳香族ジエステルジオールであり、かつ、前記組成物がさらにトリス（１−クロロ−２−プロピル）ホスフェートと、必要に応じて表面改質モンモリロナイトナノクレイを含む、前記難燃性組成物。
【請求項５】
請求項４に記載の難燃性組成物前記表面改質であって、
前記改質モンモリロナイトナノクレイは、存在する場合、０．５〜５重量％のアミノプロピルトリエトキシシラン及び１５〜３５重量％のオクタデシルアミンで表面改質されたモンモリロナイトクレイである、前記難燃性組成物。
【請求項６】
請求項１及び４〜５のいずれかに記載の難燃性組成物であって、
前記臭素化芳香族ジエステルジオールが、テトラブロモフタル酸無水物と、ジエチレングリコール及びプロピレングリコールとの混合エステルである、前記難燃性組成物。
【請求項７】
請求項３に記載の難燃性組成物であって、
前記イソシアネート反応性硫黄含有化合物が硫黄含有芳香族ジアミンであり、かつ前記イソシアネート反応性臭素化難燃剤が２，３−ジブロモアリルアルコールである場合、前記硫黄含有芳香族ジアミンは、約１０重量％〜約４５の範囲であり、かつ２，３−ジブロモアリルアルコールが、約５０重量％〜約８０重量％の範囲であり；
前記イソシアネート反応性硫黄含有化合物がジスルフィドであり、かつ前記イソシアネート反応性臭素化難燃剤が、
２，３−ジブロモアリルアルコールであり、前記ジスルフィドが約１０重量％〜約５５重量％の範囲であり、かつ２，３−ジブロモアリルアルコールが約４５重量％〜約９０重量％の範囲であり；
トリブロモネオペンチルアルコール、前記ジスルフィドが約２５重量％〜約７５重量％の範囲であり、かつトリブロモネオペンチルアルコールが約２５重量％〜約７５重量％の範囲であるか；または
臭素化芳香族ジエステルジオール、前記ジスルフィドが約１０重量％〜約６０重量％の範囲であり、かつ前記臭素化芳香族ジエステルジオールが約３５重量％〜約９０重量％の範囲であり；
ここで、重量％は組成物の総重量に基づいている、前記難燃性組成物。
【請求項８】
前記イソシアネート反応性硫黄含有化合物がビス（２−ヒドロキシエチル）ジスルフィドである、請求項２〜３及び７のいずれかに記載の難燃性組成物。
【請求項９】
少なくとも１つのポリオールと、少なくとも１つの発泡剤と、少なくとも１つの触媒と、少なくとも１つの界面活性剤と、硫黄含有芳香族ジアミン及びジスルフィドから選択される少なくとも１つのイソシアネート反応性硫黄含有化合物と、臭素化芳香族ジエステルジオール、２，３−ジブロモアリルアルコール、トリブロモネオペンチルアルコール、ジブロモネオペンチルグリコール及びテトラブロモベンゼンジメタノールから選択される少なくとも１つのイソシアネート反応性臭素化難燃剤を含む配合物であって、
ただし、前記イソシアネート反応性硫黄含有化合物が硫黄含有芳香族ジアミンである場合、前記イソシアネート反応性臭素化難燃剤が臭素化芳香族ジエステルジオール、２，３−ジブロモアリルアルコール及び／またはトリブロモネオペンチルアルコールあり、かつ、前記イソシアネート反応性硫黄含有化合物が硫黄含有芳香族ジアミンであり、前記イソシアネート反応性臭素化難燃剤が臭素化芳香族ジエステルジオールである場合、前記組成物は、別の臭素化難燃剤、別の硫黄含有化合物、トリス（１−クロロ−２−プロピル）ホスフェート、及び／または表面改質モンモリロナイトナノクレイをも含む、ことを特徴とする、前記配合物。
【請求項１０】
前記ポリオールが、ポリエーテルポリオール及び／またはポリエステルポリオールである、請求項９に記載の配合物。
【請求項１１】
前記ポリオールが約３〜約７の官能性を有する、請求項９に記載の配合物。
【請求項１２】
前記発泡剤が、水、１，１，１，３，３−ペンタフルオロプロパン、トランス−１−クロロ−３，３，３−トリフルオロプロペン、及び／または１，２−ビス（トリフルオロメチル）エテンである、請求項９に記載の配合物。
【請求項１３】
前記イソシアネート反応性臭素化難燃剤が２，３−ジブロモアリルアルコールである、
請求項９に記載の配合物。
【請求項１４】
請求項９に記載の配合物であって、
前記イソシアネート反応性硫黄含有化合物が、硫黄含有芳香族ジアミンであり、前記イソシアネート反応性臭素化難燃剤が、臭素化芳香族ジエステルジオールであり、前記配合物がさらに、トリス（１−クロロ−２−プロピル）リン酸塩；及び必要に応じて、０．５〜５重量％のアミノプロピルトリエトキシシラン及び１５〜３５重量％のオクタデシルアミンで表面改質されたモンモリロナイトクレイを含む、前記配合物。
【請求項１５】
請求項９〜１２のいずれかに記載の配合物であって、
前記イソシアネート反応性硫黄含有化合物が、硫黄含有芳香族ジアミンであり、かつ前記イソシアネート反応性臭素化難燃剤が、２，３−ジブロモアリルアルコールであり；
前記イソシアネート反応性硫黄含有化合物がジスルフィドであり、かつ前記イソシアネート反応性臭素化難燃剤が、２，３−ジブロモアリルアルコール、トリブロモネオペンチルアルコール、及び／または臭素化芳香族ジエステルジオールである、前記配合物。
【請求項１６】
請求項１３〜１５のいずれかに記載の配合物であって、
前記硫黄含有芳香族ジアミンが、３，５−ジメチルチオ−トルエン−２，４−ジアミンと３，５−ジメチルチオ−トルエン−２，６−ジアミンとの混合物であるか、及び／またはジスルフィドがビス（２−ヒドロキシエチル）ジスルフィドである、前記配合物。
【請求項１７】
ポリイソシアネート及び請求項９〜１６のいずれかに記載の配合物を含む成分から形成される硬質ポリウレタンフォーム。
【請求項１８】
硬質ポリウレタンフォームの形成方法であって、
Ａ）ポリイソシアネート、並びに、Ｂ）少なくとも１つのポリオールと、少なくとも１つの発泡剤と、少なくとも１つの触媒と、少なくとも１つの界面活性剤と、硫黄含有芳香族ジアミン及びジスルフィドから選択される少なくとも１つのイソシアネート反応性硫黄含有化合物と、臭素化芳香族ジエステルジオール、２，３−ジブロモアリルアルコール、トリブロモネオペンチルアルコール、ジブロモネオペンチルグリコール及びテトラブロモベンゼンジメタノールから選択される少なくとも１つのイソシアネート反応性臭素化難燃剤とから形成される配合物を接触させて、混合物を形成する工程を含むが、
ただし、前記イソシアネート反応性硫黄含有化合物が硫黄含有芳香族ジアミンである場合、前記イソシアネート反応性臭素化難燃剤が臭素化芳香族ジエステルジオール、２，３−ジブロモアリルアルコール及び/またはトリブロモネオペンチルアルコールであり、かつ、
前記イソシアネート反応性硫黄含有化合物が硫黄含有芳香族ジアミンであり、前記イソシアネート反応性臭素化難燃剤が臭素化芳香族ジエステルジオールである場合、前記組成物は、別の臭素化難燃剤、別の硫黄含有化合物、トリス（１−クロロ−２−プロピル）ホスフェート、及び／または表面改質モンモリロナイトナノクレイをも含み、
前記混合物を硬化させて硬質ポリウレタンフォームを形成することを可能にする、ことを特徴とする、前記形成方法。
【請求項１９】
請求項１８に記載の形成方法であって、Ａ）及びＢ）が、前記混合物のイソシアネート指数が約８５〜約１０００であるような量であり、硬質ポリウレタンフォームが形成される、前記形成方法。
【請求項２０】
請求項１８のように形成された硬質ポリウレタンフォーム。